(57)【特許請求の範囲】
【請求項１】
底半体(12)とその上に重ね合わされ且つスイッチ操作部を具備する上半体(11)から構成される箱主体(10)と、前記底半体(12)内の底壁と平行な姿勢で前記箱主体(10)内に収容される電子基板(51)を具備し、前記底壁を貫通するリード線の一端が前記電子基板(51)に電気接続された給湯機用遠隔操作盤において、
前記底半体(12)の前記底壁には、前記リード線の一端に取付けられた底壁側端子金具が固定されており、
前記電子基板(51)の表面には前記底壁側端子金具に重ね合わされる基板側端子が設けられており、
前記上半体(11)の構成壁と前記底壁側端子金具によって前記電子基板(51)の前記基板側端子の部位が表裏から挟圧されるように、これら底半体(12)と上半体(11)を前記重ね合わせ状態に結合する締結手段を具備する給湯機用遠隔操作盤。
【請求項２】
請求項１に記載の給湯機用遠隔操作盤に於いて、
前記底半体(12)と前記上半体(11)は、前記締結手段たるビスと同じ方向から締め付けられる結合ネジ(37)(37)で重ね合わせ状態に結合される給湯機用遠隔操作盤。
【請求項３】
底半体(12)とその上に重ね合わされ且つスイッチ操作部を具備する上半体(11)から構成される箱主体(10)と、前記底半体(12)内の底壁と平行な姿勢で前記箱主体(10)内に収容される電子基板(51)を具備し、前記底壁を貫通するリード線の一端が前記電子基板(51)に電気接続された給湯機用遠隔操作盤において、
前記底半体(12)の前記底壁には、前記リード線の一端に取付けられた底壁側端子金具が固定されており、
前記電子基板(51)の表面には前記底壁側端子金具に重ね合わされる基板側端子が設けられており、
前記底半体(12)の前記底壁側端子金具の部位から前記電子基板(51)の前記基板側端子の部位に螺入してこれら両者を締め付ける締付ビスを具備し、
前記底半体(12)と前記上半体(11)は、前記締付ビスと同じ方向から締め付けられる結合ネジ(37)(37)で重ね合わせ状態に結合される給湯機用遠隔操作盤。
【請求項４】
請求項１から請求項３の何れかに記載の給湯機用遠隔操作盤において、
前記底半体(12)内の前記底壁には、前記電子基板(51)より前記底壁に向けて突出する電子部品の端子群からずれた経路に沿って延びるように前記リード線を固定する配線止めが設けられている給湯機用遠隔操作盤。
【請求項５】
請求項１から請求項４に記載の給湯機用遠隔操作盤に於いて、
前記スイッチ操作部の形成域に重ね合わされる操作用開口(330)を具備する化粧カバー(30)が前記上半体(11)に外嵌されている給湯機用遠隔操作盤。
【発明の詳細な説明】
【０００１】
【発明の属する技術分野】
本発明は、台所や浴室の壁面に配設される給湯機用遠隔操作盤に関するものである。
【０００２】
【従来の技術】
図８は、上記給湯機用遠隔操作盤の従来の構造を示す分解斜視図である。
底半体(12)とこれの開放部を覆う上半体(11)から成る矩形箱状の箱主体(10)には、蛍光管を具備する表示装置(21)やスイッチ(22)(22)等の電子部品を具備する電子基板(51)が収容されていると共に、上半体(11)に於いて前記表示装置(21)に対向する部分は透光性を有する透視窓(14)になっている。
【０００３】
又、上半体(11)の表面は化粧カバー(30)で覆われるようになっていると共に、該化粧カバー(30)には、前記透視窓(14)に外嵌する窓孔(31)等が形成されている。
上記電子基板(51)にはリード線(64a) (64b) の端部が半田付けされていると共に、該リード線(64a) (64b) が貫通する栓体(62)は、底半体(12)の中央に形成された中央孔(610) に密に嵌入されるようになっている。
【０００４】
上記給湯機用遠隔操作盤を組み立てるときは、底半体(12)の外周枠(120) の表面に気密性確保の為のシリコンシール材を塗布し、その後、リード線(64a) (64b) をコネクター(85)側から底半体(12)の中央孔(610) に挿入すると共に、該リード線(64a) (64b) に具備させた栓体(62)を前記中央孔(610) に強制嵌入させる。その後、電子基板(51)を挟むように上半体(11)と底半体(12)を重ね合わせ、底半体(12)の外周のネジ挿通孔(61)(61)の裏側から、これに重なった上半体(11)のネジ孔(101) (101) に結合ネジ(37)(37)を螺入すると、箱主体(10)が組み立てられる。その後、箱主体(10)を構成する上半体(11)に化粧カバー(30)を外嵌固定すると、給湯機用遠隔操作盤が完成する。
【０００５】
【発明が解決しようとする課題】
しかしながら、上記従来のものでは、電子基板(51)に半田付けされたリード線(64a) (64b) は細長くて取扱いにくいことから、これを底半体(12)の中央孔(610) に挿入する作業が煩雑であるだけでなく、更に、上記細長くて取扱いが困難なリード線(64a) (64b) が底半体(12)の外周枠(120) に塗布された未乾燥状態のシリコン材に接触しないように注意しながら箱主体(10)を組み立てる必要なことから、該箱主体(10)の組み立て作業が一層煩雑化する。
【０００６】
本発明は、係る点に鑑みてなされたもので、
『底半体(12)とその上に重ね合わされ且つスイッチ操作部を具備する上半体(11)から構成される箱主体(10)と、前記底半体(12)内の底壁と平行な姿勢で前記箱主体(10)内に収容される電子基板(51)を具備し、前記底壁を貫通するリード線の一端が前記電子基板(51)に電気接続された給湯機用遠隔操作盤』において、前記電子基板(51)を箱主体(10)内に組み込む作業が容易に行えるようにすることをその課題とする。
〈１項〉
【０００７】
【課題を解決する為の手段】
上記課題を解決るための本発明の技術的手段は、
『前記底半体(12)の前記底壁には、前記リード線の一端に取付けられた底壁側端子金具が固定されており、
前記電子基板(51)の表面には前記底壁側端子金具に重ね合わされる基板側端子が設けられており、
前記上半体(11)の構成壁と前記底壁側端子金具によって前記電子基板(51)の前記基板側端子の部位が表裏から挟圧されるように、これら底半体(12)と上半体(11)を前記重ね合わせ状態に結合する締結手段を具備する』ことである。
【０００８】
上記技術的手段によれば、電子基板(51)を上半体(11)と底半体(12)の間に介在させた状態で、これら上半体(11)と底半体(12)を重ね合わせ状態に結合すると、上半体(11)の構成壁と底半体(12)に具備させた底壁側端子金具で電子基板(51)の基板側端子の部位が表裏から挟圧され、これにより、リード線が電子基板(51)に電気接続される。
【０００９】
尚、上記締結手段としては、例えば、底半体(12)と上半体(11)を重ね合わせ方向に締め付ける締付ビスを採用することができる。
【００１０】
【発明の効果】
本発明は次の特有の効果を有する。電子基板(51)を介在させた状態で上半体(11)と底半体(12)を締結手段で結合するだけで、リード線が電子基板(51)に電気接続状態になるから、既述従来のものに比べて、箱主体(10)の組み立て作業が容易に行える。
〈２項〉
前記１項に於いて、『前記底半体(12)と前記上半体(11)は、前記締結手段たるビスと同じ方向から締め付けられる結合ネジ(37)(37)で重ね合わせ状態に結合される』ものでは、前記締付ビス等と上半体(11)及び底半体(12)を結合する結合ネジ(37)(37)を同一方向から締付る作業を行うことができる。従って、例えば、結合ネジ(37)(37)を箱主体(10)の表面側から締め付けた後に該箱主体(10)を裏返して締付ビスを締め付ける場合と相違し、これら締付ビスや結合ネジ(37)(37)を締め付ける際に、箱主体(10)を裏返す必要がない。即ち、箱主体(10)の片面方向から上記締付ビスや結合ネジ(37)(37)を締め付ける作業が行える。
〈３項〉
前記２項のものでは底半体(12)と上半体(11)で電子基板(51)の基板側端子の部分を挟圧したもの（１項のもの）において、底半体(12)と上半体(11)を同じ方向からビスで締め付け固定したが、電子基板(51)の基板側端子の部位を底半体(12)に締付ビスで締め付けたものにおいて底半体(12)と上半体(11)を同じ方向からビスで締め付けてもよい。
【００１１】
即ち、『底半体(12)とその上に重ね合わされ且つスイッチ操作部を具備する上半体(11)から構成される箱主体(10)と、前記底半体(12)内の底壁と平行な姿勢で前記箱主体(10)内に収容される電子基板(51)を具備し、前記底壁を貫通するリード線の一端が前記電子基板(51)に電気接続された給湯機用遠隔操作盤において、
前記底半体(12)の前記底壁には、前記リード線の一端に取付けられた底壁側端子金具が固定されており、
前記電子基板(51)の表面には前記底壁側端子金具に重ね合わされる基板側端子が設けられており、
前記底半体(12)の前記底壁側端子金具の部位から前記電子基板(51)の前記基板側端子の部位に螺入してこれら両者を締め付ける締付ビスを具備し、
前記底半体(12)と前記上半体(11)は、前記締付ビスと同じ方向から締め付けられる結合ネジ(37)(37)で重ね合わせ状態に結合される』ものとすることができる。
【００１２】
このものでは、底半体(12)の底壁側端子金具の部位と電子基板(51)に於ける基板側端子の部位を締付ビスで締め付けると、電子基板(51)の基板側端子と底半体(12)に具備させた底壁側端子金具が圧接され、これにより、リード線が電子基板(51)に電気接続状態になる。
又、２項のものと同様に、箱主体(10)の片面方向から結合ネジ(37)(37)を締め付ける作業が行える。
〈４項〉
前記１項から３項に於いて、
『前記底半体(12)内の前記底壁には、前記電子基板(51)より前記底壁に向けて突出する電子部品の端子群からずれた経路に沿って延びるように前記リード線を固定する配線止めが設けられている』ものでは、リード線が決められた位置で固定されているため、箱主体(10)を薄くしても、電子基板(51)から突出する電子部品の金属線状の端子の尖端が底半体(12)に固定されたリード線に突き刺さる心配がなく、操作盤組立時に前記リード線が損傷を受けない。
〈５項〉
前記１項から４項の給湯機用操作盤は、上半体(11)の外面がそのまま外部に露出する態様で使用することもできるが、『前記スイッチ操作部の形成域に重ね合わされる操作用開口(330)を具備する化粧カバー(30)が前記上半体(11)に外嵌されている』ものとすることができる。
【００１３】
【発明の実施の形態】
次に、上記発明の実施の形態を説明する。
図１以下に示す実施の形態は、浴室に配設される給湯機用操作盤に本発明を実施した場合を例示したものである。
このものは、金属製の取付けベース(41)と、電子基板(51)を収容し且つ上半体(11)及び底半体(12)から成る箱主体(10)と、この箱主体(10)の正面を覆う化粧カバー(30)から構成されている。
【００１４】
以下、各部の詳細を説明する。
［取付けベース(41)について］
取付けベース(41)は金属製の長方形板で形成されていると共に、図１に示すように、該取付けベース(41)の横方向に対向する一対の短辺(43a) (43b) の中央には、該取付けベース(41)の周縁を切り起こして形成したＬ字状の取付け片(45a) (45b) が設けられている。そして、これら取付け片(45a) (45b) には、ネジ孔(47a) (47b) が形成されている。図１，図２に示すように、取付けベース(41)の中央部に開設された透孔(40)には、該取付けベース(41)を表裏から挟む態様の一対の挟持フランジ(42a) (42b) が外周に設けられた固定スリーブ(44)が取付けられていると共に、該固定スリーブ(44)の内周にはネジ筒(48)を螺入する為の雌ネジ(46)が刻設されている。
【００１５】
又、取付けベース(41)にはその外周に沿って走行する補強リブ(49)がプレス加工で形成されている。
［箱主体(10)について］
箱主体(10)は互いに組み合わされる上半体(11)と底半体(12)から構成されている。
＊底半体(12)について
箱主体(10)を構成する底半体(12)は合成樹脂材料で矩形の浅い皿状に成形されていると共に、その内面側の周縁部には、外周枠(120) が隆起しており、該外周枠(120) の一対の長辺部にはネジ挿通孔(61)(61)が形成されている。又、上記底半体(12)の一対の短辺の中央部には、一対の長孔(15a) (15b) が形成されている。
【００１６】
底半体(12)の中央孔(610) に気密状態に嵌入された栓体(62)を表裏に貫通するリード線(64a) (64b) は、該底半体(12)の内面側に於いて電子基板(51)の裏面に対向する部分に形成された配線止(65)(65)で固定されるようになっており、各配線止(65)(65)は、図３に示すように、底半体(12)から一体的に一定間隔で突出する三個の突起(66)(66)で構成されている。そして、該突起(66)(66)の間にリード線(64a) (64b) が圧入されることによって該リード線(64a) (64b) が固定されるようになっている。又、配線止(65)(65)で固定されたリード線(64a) (64b) は、後述の電子部品たる表示装置(21)等が配設された電子基板(51)の片面から底半体(12)側に突出する金属線状の端子(210) (210) 群からずれた経路に沿って延びるようになっている。
【００１７】
リード線(64a) (64b) の先端は底壁側端子金具(67a) (67b) に接続されていると共に、該底壁側端子金具(67a) (67b) は、図１，図４に示すように、底半体(12)の底壁(121) から一体的に隆起する円板状の台座(68a) (68b) の頂面に重ねられた状態で接着剤等によって固定されている。これにより、上記底壁側端子金具(67a) (67b) は、電子基板(51)の裏面に対向した状態になっている。又、前記台座(68a) (68b) と底壁側端子金具(67a) (67b) には、互いに重なり合う透孔(69)(60)が各別に穿設されている。
【００１８】
更に、図１，図４に示すように、上記栓体(62)を収容する中央孔(610) の周囲には円筒状隆起部(63)が形成されており、該円筒状隆起部(63)の外周から突出する三角柱状部(600) には底半体(12)の裏側に連通する通気孔(71)が形成されていると共に、該通気孔(71)の開口部は非通水性を有する通気シート(72)が貼着されている。尚、前記通気シート(72)は、具体的には四弗化エチレン材料で形成されている。
【００１９】
従って、図２の矢印(A) で示すように、箱主体(10)内→通気シート(72)→通気孔(71)→ネジ筒(48)と繋がる経路及びこれと逆の経路で空気が流通し得る。よって、浴室と外部の温度差が生じても、上記空気流によって箱主体(10)内と外部の圧力が等しくなり、内部圧力で箱主体(10)が膨張・収縮するような変形を受けることがなくなる。
＊電子基板(51)について
電子基板(51)には、給湯温度や器具動作状態を表示する蛍光管式の表示装置(21)，スピーカ(52)，ＩＣチップ(53)，スイッチ(22)(22)等の電子部品が配設されていると共に、後述の化粧カバー(30)の開閉蓋(33)を開けてＯＮ・ＯＦＦ操作する隠しスイッチ(23)(23)が配設されている。
【００２０】
又、電子基板(51)の長辺部近傍には、上記底半体(12)に取付けられたリード線(64a) (64b) の先端の底壁側端子金具(67a) (67b) に形成された既述透孔(60)(60)に重ねられるネジ挿通孔(58)(58)が形成されている。
＊上半体(11)について
図１，図２に示すように、箱主体(10)を構成する上半体(11)は上記底半体(12)側に開放する矩形箱状に形成されていると共に、全体が透光性を有する材料としての透明合成樹脂材料で一体成形されており、該上半体(11)の外面の所定部には、非透光性の可撓性シート(29)が貼着されるようになっている。
【００２１】
上半体(11)の外周フランジ(100) には、上記底半体(12)の長辺近傍のネジ挿通孔(61)(61)に対応するネジ孔(101) (101) が形成されていると共に、該上半体(11)の短辺部近傍には、既述底半体(12)の長孔(15a) (15b) に対応する長孔(102) (102) が形成されている。
上半体(11)の外周フランジ(100) を除く主体部(112) の外面には、上記電子基板(51)に配設された表示装置(21)の表示部に対応する透視窓(14)としての長方形状の隆起部(103) が形成されており、該隆起部(103) の横方向には、上半体(11)の裏側に変形する第１弾性変形部(104) (104) が形成されている。そして、図１に示すように、この第１弾性変形部(104) は、上半体(11)の構成壁に形成した透孔(106) の内周から一体的に舌片(107) を突出させたもので、図２に示すように、舌片(107) には電子基板(51)側に突出するスイッチ押込み軸(18)が連設されており、該スイッチ押込み軸(18)の先端によって、隠しスイッチ(23)(23)を押すことができるようにしている。
【００２２】
上記第１弾性変形部(104) (104) の横には、上半体(11)の前後方向に弾性変形する第２弾性変形部(105) (105) が形成されており、該第２弾性変形部(105) (105) は、図２に示すように、収容孔(109) (109) とこれに収容された扁平円錐形の樹脂体(110) (110) から構成されている。そして、この樹脂体(110) (110) の先端部でスイッチ(22)(22)が押されてＯＮ・ＯＦＦするようになっている。
【００２３】
上記第１弾性変形部(104) (104) と第２弾性変形部(105) (105) の形成域の表面を被覆する非透光性の可撓性シート(29)の裏面には、粘着材が塗布されていると共に、該粘着材によって前記可撓性シート(29)が上記第１弾性変形部(104) (104) 及び第２弾性変形部(105) (105) の形成域に貼着される。又、可撓性シート(29)の表面には、上記上半体(11)に形成された第１弾性変形部(104) (104) に重なるスイッチ操作部用の表示(24)(24)が印刷されている。そして、該表示(24)(24)部分を押すと、可撓性シート(29)が撓んで第１弾性変形部(104) (104) が押圧変形され、これにより第１弾性変形部(104) (104) のスイッチ押込み軸(18)(18)で隠しスイッチ(23)(23)が押されてこれがＯＮ・ＯＦＦされる。又、このスイッチ操作部用の表示(24)(24)の横には、上半体(11)に形成された第２弾性変形部(105) (105) 部分に重なる透明部(25)(25)が形成されている。
［化粧カバー(30)について］
上記箱主体(10)の正面を覆う化粧カバー(30)には、上記表示装置(21)用の透視窓として機能する隆起部(103) に外嵌する窓孔(31)と、片開式の開閉蓋(33)で開閉され且つ上半体(11)のスイッチ操作部（透孔(106) (106) 部分）の形成域の表側に可撓性シート(29)を介して重なる操作用開口(330) と、これら窓孔(31)と操作用開口(330) の中間領域に装着された透明材料から成る操作ボタン(13)(13)を具備している。そして、この操作ボタン(13)(13)は、図２に示すように、上半体(11)に設けられた第２弾性変形部(105) (105) やこれに重なる可撓性シート(29)の透明部(25)(25)に対向しており、スイッチ(22)に内蔵された発光体の光りが、透明な樹脂体(110) →透明部(25)→操作ボタン(13)と伝わって外部から視覚認識できるようになっている。
［組み立て作業について］
次に、上記各部品を用いて図示の遠隔操作盤を組み立てる作業を説明する。
【００２４】
先ず、上半体(11)の第１弾性変形部(104) (104) 及び第２弾性変形部(105) (105) を覆う態様で、該上半体(11)の表面に可撓性シート(29)を貼着しておく。
次に、箱主体(10)を構成する底半体(12)の底壁(121) に電子基板(51)を重ねると共に、更に、その上から上半体(11)を重ね合わせる。尚、底半体(12)と上半体(11)を重ね合わせるときには、底半体(12)の外周枠(120) の表面にシリコン製のシール材を塗布し、これにより、箱主体(10)の内部に浴室の水や水蒸気が侵入するのを防止する。
【００２５】
次に、底半体(12)に取付けた底壁側端子金具(67a) (67b) の透孔(60)(60)（図４参照）に対して該底半体(12)のネジ挿通孔(69)(69)側から締結手段のビスとしての締付ビス(75a) (75b) を挿入し、図６に示すように、該締付ビス(75a) (75b) を電子基板(51)のネジ挿通孔(58)(58)から上半体(11)内面の突出部(119) （既述した上半体(11)の構成壁に対応している）に形成したビス孔(118) にねじ込んで締付ける。すると、図６に示すように、底壁側端子金具(67a) (67b) が電子基板(51)の基板側端子(117) に圧接され、これにより、リード線(64a) (64b) と電子基板(51)が電気接続状態になる。このように、本実施の形態に係る給湯機用遠隔操作盤では、底半体(12)と電子基板(51)を重ね合わせた状態で締付ビス(75a) (75b) を締め付けるだけでリード線(64a) (64b) と電子基板(51)を電気接続することができる。従って、予めリード線(64a) (64b) が半田付けされた電子基板(51)を組み込む既述従来のものに比べ、箱主体(10)の組み立て作業が簡単に行える。
【００２６】
尚、この実施形態では、底壁側端子金具(67a) (67b) に繋がるリード線(64a) (64b) は底半体(12)の内面側に設けられた配線止(65)(65)で固定されてその走行経路が変化しない状態になっている。又、図１の点線で示すように、電子基板(51)の裏面に突出する表示装置(21)の金属線状の端子(210) (210) の対向部から外れた位置をリード線(64a) (64b) が走行するようにこれらが配線止(65)(65)で固定されている。このように、リード線(64a) (64b) が決められた位置で固定されているため、前記端子(210) (210) の先鋭な先端がリード線(64a) (64b) に突き刺さることがなく、該リード線(64a) (64b) が損傷する心配がない。
【００２７】
次に、上記したように上半体(11)と底半体(12)を重ね合わせた状態では、底半体(12)の周囲のネジ挿通孔(61)(61)及び長孔(15a) (15b) が上半体(11)のネジ孔(101) (101) 及び長孔(102) (102) に夫々合致している。
この状態で、底半体(12)の裏面側からこれに形成されたネジ挿通孔(61)(61)を介してネジ孔(101) (101) に結合ネジ(37)(37)を螺入すると、内部に電子基板(51)を内蔵した上半体(11)と底半体(12)から成る箱主体(10)が組み立てられる。
【００２８】
尚、本実施の形態では、上記底壁側端子金具(67a) (67b) を電子基板(51)に押圧する締付ビス(75a) (75b) や上記結合ネジ(37)(37)を全て底半体(12)の裏面側（外面側）から螺入するようにしたから、締付ビス(75a) (75b) を底半体(12)の裏面側から螺入する一方結合ネジ(37)(37)を上半体(11)の前面側から螺入する場合と相違し、締付ビス(75a) (75b) を螺入した後に箱主体(10)を反転させなくても結合ネジ(37)(37)の螺入が可能となり、その作業性が向上する。
【００２９】
次に、取付けベース(41)用の結合ビス(77)(77)を、箱主体(10)を構成する上半体(11)の短辺部近傍の長孔(102) (102) とこれに重なる底半体(12)の長孔(15a) (15b) に挿入した後、該結合ビス(77)(77)の先端を取付けベース(41)のネジ孔(47a) (47b) に螺入すると、箱主体(10)の裏面に取付けベース(41)が結合された状態になる。その後、箱主体(10)の前面に化粧カバー(30)を外嵌固定すると、本実施の形態に係る遠隔操作盤が完成する。
【００３０】
次に、上記遠隔操作盤を浴室の壁面に取付けるには、図２に示すように、浴室の壁(81)に貫設された壁孔(82)にネジ筒(48)を挿入すると共に、その先端に固定ナット(83)を螺合し、これにより、遠隔操作盤を浴室の壁(81)に取付ける。尚、図２に於いて、(20)(20)は、環状のゴム板である。このものでは、固定ナット(83)の締付力はネジ筒(48)を介して取付けベース(41)で受け止められるから、ネジ筒(48)が箱主体(10)の底半体(12)の構成壁に直接螺合されている場合（取付けベース(41)を有しない場合）のように樹脂製の底半体(12)が撓む心配が少なくなる。従って、箱主体(10)を薄くしても、固定ナット(83)の締付に伴う底半体(12)の変形を抑えることができる。
［その他］
上記実施の形態では底半体(12)から電子基板(51)のネジ挿通孔(58)を通して上半体(11)の突出部(119)に締付ビス(75a)(75b)を締め付けることによって、該突出部(119)と底半体(12)側の底壁側端子金具(67a)(67b)で基板側端子(117)の部分を挟圧したが、図７に示すように、底半体(12)の底壁(121)のネジ挿通孔(69)から挿入した締付ネジ(75a)(75b)を電子基板(51)のネジ孔(56)に螺入してもよい。即ち、締付ネジ(75a)(75b)で底半体(12)と電子基板(51)を相互に締め付け、これにより、底壁側端子金具(67a)(67b)と電子基板(51)の基板側端子(117)(117)を圧接させる。
【図面の簡単な説明】
【図１】本発明の実施の形態に係る遠隔操作盤の分解斜視図
【図２】本発明の実施の形態に係る遠隔操作盤を壁(81)に取付けた状態の断面図
【図３】配線止(65)部分の拡大図
【図４】底壁側端子金具(67a) (67b) の配設部の拡大断面図
【図５】通気シート(72)の貼着部の斜視図
【図６】電子基板(51)と底壁側端子金具(67a) (67b) の接触部の断面図
【図７】他の実施の形態を示す要部断面図
【図８】従来例の説明図
【符号の説明】
(10)・・・箱主体
(11)・・・上半体
(12)・・・底半体
(51)・・・電子基板
(64a) (64b) ・・・リード線
(67a) (67b) ・・・底壁側端子金具
【図１】
0003643495.tif 000002
【図２】
0003643495.tif 000003
【図３】
0003643495.tif 000004
【図４】
0003643495.tif 000005
【図５】
0003643495.tif 000006
【図６】
0003643495.tif 000007
【図７】
0003643495.tif 000008
【図８】
0003643495.tif 000009